(57)【特許請求の範囲】
【請求項１】
ローター（３０）とハウジング（２）を有する、低粘性から高粘性までの材料、特に歯科印象を混合するダイナミックミキサーであって、
前記ハウジング（２）は、材料用の前方のインレット開口（１２、１３）と、少なくとも一つの後方のアウトレット開口（２０）とを有し、
前記ハウジング（２）の内部空間は、プリチャンバー（１７）とメインチャンバー（２２）とを有し、
前記プリチャンバー（１７）は、先細の遷移セクション（１６）の末端で前記メインチャンバー（２２）に開口しているダイナミックミキサーであって、
前記プリチャンバー（１７）から前記メインチャンバー（２２）に入る通路として、少なくとも一つの個々の通路（２３ａ〜ｄ）を有し、該個々の通路（２３ａ〜ｄ）の幅が、前記遷移セクション（１６）の周囲の一部分を覆って延び、前記個々の通路（２３ａ〜ｄ）は、いずれの場合にも、前記ハウジング（２）の内壁に凹部によって成形されることを特徴とする、ダイナミックミキサー。
【請求項２】
前記先細の遷移セクション（１６）は、ほぼ円錐形状に延びることを特徴とする、請求項１に記載のダイナミックミキサー。
【請求項３】
前記個々の通路（２３ａ〜ｄ）は、少なくとも２個、好ましくは４個であることを特徴とする、請求項１または２に記載のダイナミックミキサー。
【請求項４】
隣接する前記個々の通路（２３ａ〜ｄ）は、各々、前記遷移セクション（１６）の周辺方向で等間隔を有することを特徴とする、請求項１〜３のいずれか一項に記載のダイナミックミキサー。
【請求項５】
前記ローター（３０）は、前記プリチャンバー（１７）の中に外側のローターセクション（３５）を伴う後方の混合ローター（３３）を有し、
前記外側のローターセクション（３５）は、前記遷移セクション（１６）の軸方向で前方に配置され、
少なくとも一つの通路開口（３９ａ〜ｄ）が、前記外側のローターセクション（３５）に成形されることを特徴とする、請求項１〜４のいずれか一項に記載のダイナミックミキサー。
【請求項６】
前記外側のローターセクション（３５）は、インレット側で、半径方向内側に向かう凹部を有することを特徴とする、請求項５に記載のダイナミックミキサー。
【請求項７】
前記外側のローターセクションは、摩擦を避ける最小の軸方向の間隔で、前記遷移セクション（１６）の前記内壁（１６ｂ）に沿って、前記アウトレット側に配置されることを特徴とする、請求項５または６に記載のダイナミックミキサー。
【請求項８】
前記後方の混合ローター（３３）の同心の内側のローターセクション（３４）であって、インレット側で、半径方向にほぼ平らに延びる表面を有する前記内側のローターセクション（３４）を特徴とする、請求項５〜７のいずれか一項に記載のダイナミックミキサー。
【請求項９】
前記通路開口（３９ａ〜ｄ）の数は、前記個々の通路（２３ａ〜ｄ）の数に一致することを特徴とする、請求項５〜８のいずれか一項に記載のダイナミックミキサー。
【請求項１０】
前記通路開口（３９ａ〜ｄ）の幅および／または近接する該通路開口（３９ａ〜ｄ）の周辺の間隔は、いずれの場合にも、ほぼ、前記個々の通路（２３ａ〜ｄ）の周辺の間隔に一致することを特徴とする、請求項５〜９のいずれか一項に記載のダイナミックミキサー。
【請求項１１】
前記通路開口（３９ａ〜ｄ）は、各々、前記外側のローターセクション（３５）の外縁まで延びることを特徴とする、請求項５〜１０のいずれか一項に記載のダイナミックミキサー。
【請求項１２】
前記通路開口（３９ａ〜ｄ）の長さは、いずれの場合にも、前記外側のローターセクション（３５）全体を覆ってほぼ半径方向に延びることを特徴とする、請求項５〜１１のいずれか一項に記載のダイナミックミキサー。
【請求項１３】
傾斜エッジ（３８ａ、ｂ）が、いずれの場合にも、前記通路開口（３９ａ〜ｄ）の側面境界に沿って、前記外側のローターセクション（３５）に成形されることを特徴とする、請求項５〜１２のいずれか一項に記載のダイナミックミキサー。
【請求項１４】
半径方向に延びる渦を発生する要素（３７ａ〜ｄ）が、前記外側のローターセクション（３５）のインレット側の表面に配置されていることを特徴とする、請求項５〜１３のいずれか一項に記載のダイナミックミキサー。
【請求項１５】
前記プリチャンバー（１７）の内側の前記ローター（３０）は、少なくとも一つの半径方向に延びる羽（３６ａ〜ｄ）を有する前方の混合ローター（４０）を有し、前記少なくとも一つの半径方向に延びる羽（３６ａ〜ｄ）の軸方向の凸部面は、いずれの場合にも、前記後方の混合ローター（３３）の通路開口（３９ａ〜ｄ）に突出する、請求項５〜１４のいずれか一項に記載のダイナミックミキサー。
【請求項１６】
前記前方の混合ローター（４０）の前記羽（３６ａ〜ｄ）の数は、前記後方の混合ローター（３３）の前記通路開口の数に一致する、請求項１５に記載のダイナミックミキサー。
【請求項１７】
各々の羽（３６ａ〜ｄ）の軸方向にのびる両側面は傾斜面でできていて、前記混合ローターの回転方向（Ｒ）への傾斜を有する、請求項１５または１６に記載のダイナミックミキサー。
【請求項１８】
前記メインチャンバー（２２）内の前記ローター（３０）は、分離した羽を有する周辺方向で一直線にされる複数の混合ローター（４２ａ〜ｄ）を有することを特徴とする、請求項１〜１７のいずれか一項に記載のダイナミックミキサー。
【請求項１９】
前記ローター（３０）は、周辺方向で一直線にされる前記混合ローター（４２ａ〜ｄ）の前方に、前記メインチャンバー（２２）内により大きな半径方向の面積の別々の羽を有する混合ローター（４３）を有することを特徴とする、請求項１８に記載のダイナミックミキサー。
【発明の詳細な説明】
【技術分野】
【０００１】
本発明は、請求項１のプリアンブルに従うダイナミックミキサーに関する。
【背景技術】
【０００２】
体積の異なる材料を混合する、特に歯科印象の成形材料を製造するダイナミックミキサーは、本出願人による特許文献１で知られている。プリチャンバーがミキサーハウジングの内部空間に配置され、プリチャンバー内の混合ローターは、材料間の正確な混合比率を達成し空気の含有を避けるために、その回転軸線周りに材料を分配する分配ボディーを有している。その後、事前に混合された材料は、それらを完全に混合するために、メインチャンバーに通じる少なくとも一つの通路開口を通り抜ける。
【０００３】
２つの別々の混合チャンバーに細分化する目的は、材料を混合する全体的な均一化は、既にプリチャンバーで達成されるが、一方、局所的な均一化がメインチャンバーで続いて行われることである。これは、２以上の材料を混合するときに、局所面における平均濃度からのできるだけ小さな局所的逸脱と同様に、全体面における全体の流れ断面の各点での均一した材料の分配の両方とを必要とするからである。この点において、分配ボディーは、明らかに材料の分配表面を拡大し、分配表面の拡大は、全体面で材料を事前混合するのに重要である。しかしながら、ローターの軸線に沿った表面の拡大は、ローターの軸線に沿う幾何学的制約により、制限される。
【０００４】
これに加えて、混合過程開始時のプリチャンバー内にできるだけ長い間材料が滞留することが重要な要素である。というのも、供給される材料、特に体積比のより小さい材料の初期における濃度の変動が予測されるからである。プリチャンバーでの適切な滞留時間を経て、供給される材料の初期における濃度の逸脱を相殺することができ、それゆえ、ミキサーから初期に生じる混合材料に対する無駄を避けることができる。この点において、従来のミキサーでは、プリチャンバー内の滞留時間は、通路開口の選択した寸法によってのみ影響を及ぼすことが可能である。
【０００５】
特許文献２は、前方のチャンバーセクションに配置されるドーム型の第一混合ローターを有する更なるダイナミックミキサーを開示している。第一混合ローターは通路として機能するカットアウトを有し、じょうご状に延びるハウジングの内壁に沿ってその外側の半径方向のセクションが延びる。第二混合ローターは、第一混合ローターの後方に同軸上に配置されていて、一方の混合ローターの通路が、他方の混合ローターの各々の非フリー部分によって覆われるように、配置されている。このように、第一混合ローターに係合されない材料が、高い確率で第二混合ローターに係合されるような状況が達成される。
【０００６】
この種のローター配置により、混合ローターの数によって均一性の高い混合が達成可能である。しかしながら、供給される材料の初期の濃度の逸脱については、ほとんど評価されていない。各々の混合ローターに供給される材料の滞留時間は、できる限り小さい個々のカットアウトの大きさによってのみ確実に影響されるので、一つの混合ローターの面の範囲は、他の各々の混合ローターのカットアウトの大きさに適合するかそれより大きくなければならない。このことは、各々の混合ローターでの比較的短い滞留時間のみしか可能にせず、一時的な濃度変動をほとんど補正できない。更に、とりわけ二つの混合ローターの一つによってのみ係合される材料によっては、初期の混合比率のかなりの悪化が予測される。
【先行技術文献】
【特許文献】
【０００７】
【特許文献１】国際公開第ＷＯ２００７／０４１８７８号公報
【特許文献２】独国特許第１００  １５  １３３号公報
【発明の概要】
【発明が解決しようとする課題】
【０００８】
これを発端として、本発明は、材料の一時的な濃度変動を伴うときでさえ、全体面及び局所面で同時に高い均一性を伴って、供給される材料の濃度の正確な調節が保証されるような方法で、上記の不都合を避けながら、少なくとも一つの混合段階で効率が良くなることによりダイナミックミキサーの構造上の長さも最小化されて、前述した種類のダイナミックミキサーを更に発展させる目的に基づいている。
【課題を解決するための手段】
【０００９】
上記の目的は、特許請求項１に係るダイナミックミキサーによって満たされる。周辺に配置される個々の通路を介して、プリチャンバーとメインチャンバー間の体積流量がこれらの局所領域でのみ本発明に係る方法で制御される。これによりプリチャンバーでの材料の滞留時間が延びて、供給される材料の一時的な濃度の変動を相殺することができる。
【００１０】
特許請求項６に係る好ましい実施例では、通路開口を有する少なくとも一つの大きな面積の混合ローターが配置されており、個々の通路の前の全体面で材料を事前に混合する。このように、本発明に係る発明においては、回転する通路開口と個々の通路間が一時的に重なる間のみに、プリチャンバーとメインチャンバー間の体積流量を生じることが可能である。
【００１１】
本発明の更に好ましい実施例が残りの従属する特許請求項により、それぞれ定義されている。
【００１２】
以下において、本発明によって生じる更なる特性及び利点によって、図面を参照して詳細な好ましい実施例に関連し本発明を説明する。図面、明細書及び請求項は、当業者がまた個々に考える組み合わせ、及び更なる意味のある組み合わせに統合される組み合わせの多くの特徴を包含する。
【図面の簡単な説明】
【００１３】
【図１】ハウジングの軸方向の断面を伴う本発明に係るダイナミックミキサーの側面図。
【図２】図１で示されるダイナミックミキサーの正面図。
【図３】ハウジングのカバーが外された状態でのダイナミックミキサーの図２で示される正面図。
【図４】ローターがハウジングから外された状態でのダイナミックミキサーの図３で示される正面図。
【図５】図１及び図４で示されるダイナミックミキサーの背面図。
【図６】図１〜５で示されるダイナミックミキサーの斜視図。
【図７】図１〜６で示されるダイナミックミキサーの展開図。
【実施例１】
【００１４】
図１〜７で示されたダイナミックミキサー１は、カバー４によって前方で密閉するように閉じることが可能なハウジングボディー３を伴うハウジング２を有している。この目的のためにカバー４は、円筒形の外壁６と円筒形の内壁７を有している。円筒形の外壁６と円筒形の内壁７は、ハウジング３の前方の円筒形の封止リップ５が係合する相互に半径方向の間隔を有する。リング状のカットアウト８ａ、８ｂが封止リップ５の外周に沿って配置されており、リッド４の外壁６の内側に沿って成形され対応する突出部が、形状により固定する方法で、カットアウト８ａ、８ｂをラッチする。
【００１５】
カバー４の円形のディスク状の前方壁９は、同心のローター開口１０を有していて、ローター開口１０は、内径よりもわずかに大きい円筒形のマウントまたはノーズ１１によって、外側を囲まれている。混合する材料のための各々のインレット開口１２、１３は、カバー４の前方壁９にあり、ローター開口１０に近接し、対向する２つの位置にある。インレット開口１２と１３は異なった大きさである。インレット開口１２は、より小さな直径を備えていて、材料の混合時に体積比のより小さい材料を供給する。開口１２と１３は、各々の材料のカートリッジ用の円筒形のマウント１４、１５によってカバーの外側に各々接続されている。マウント１４の内径は、小さい方のインレット開口１２よりも大きく、大きい方のインレット開口１３とそのマウント１５の内径は同じ大きさである。
【００１６】
円錐形に細長くなる遷移セクション１６は、ハウジングボディー３の同軸に延びる封止リップ５に隣接している。カバー４と遷移セクション１６の内壁によって囲まれる内側の空間はプリチャンバー１７を成形する。プリチャンバー１７では、全体の均一な混合に関して、材料の事前混合が行われる。
【００１７】
その後方端部では、遷移セクション１６はハウジングボディー３の軸方向に延びる短い円筒形のセクション１８に開口している。短い円筒形のセクション１８の後方には、急なステップ状の傾斜の後に、短い円筒形のセクション１８に近接して、より小さい内径を有する長い円筒形のセクション１９がある。円筒形のアウトレット開口２０が、更なる円錐形の先細部２１の後に、長い円筒形のセクション１９の後方端部に配置されている。ハウジングボディー３の内側の空間は、遷移セクション１６の内側のエッジ１６ａと、更に、短い及び長い円筒形のセクション１８と１９の内壁により接続されている。ハウジングボディー３の内側の空間は、局所面における材料の最終混合のためのメインチャンバー２２に相応する。
【００１８】
４個の個々のカットアウト２３ａ〜ｄが遷移セクション１６の内壁１６ｂに沿って、周辺に成形されている。凹部２３ａ〜ｄがその長さの観点からすると、遷移セクション１６全体を基本的に覆って、半径方向に及び後方に傾斜して延びている。そして凹部２３ａ〜ｄは、遷移セクションの外側のエッジ１６ｃに、その前方の閉端部で接しており、内側のエッジ１６ａの領域のその後方端部は開口していて、プリチャンバー１７からメインチャンバー２２に開口している。凹部２３ａ〜ｄの幅は、いずれの場合にも、遷移セクション１６の周辺のほんの一部を覆って延びる。これに関連して、隣接する凹部２３ａ〜ｄは、遷移セクション１６の周辺方向で各々同じ間隔を有する。事前混合された材料用の個々の通路２３ａ〜ｄは凹部によって設けられており、プリチャンバー１７からメインチャンバー２２に入る通路となる。図５からわかるように、内側の凹部２３ａ〜ｄに対応し、関連する局所的な凸部２４ａ〜ｄがハウジング壁の外側に在る。
【００１９】
説明済みのハウジング２は、約６ｃｍの長さ及び、その前側で約４ｃｍの幅を有し、射出成型されたプラスチックで構成されている。
【００２０】
ローター３０がハウジング２の中に配置されている。ローター３０は、ローター開口１０及びカバー４の前方壁９の円筒形マウント１１を通って突出するローター軸３１を有している。ローター軸３１は、このようにして、その前方の自由端３２で混合駆動シャフトに連結可能である。
【００２１】
羽を有する後方の混合ローター３３がプリチャンバー１７の後方領域のローター軸３１に配置されている。後方の混合ローター３３の内側のローターセクション３４は、ローター軸３１の周りに同心円状に配置される半径方向に延びる平らな円形ディスク形状を有している。羽を有する外側のローターセクション３５は、内側のローターセクション３４の外周に近接し、各々湾曲した円形リングセグメント形状を有する４個の羽またはブレード３６ａ〜ｄを有している。羽またはブレード３６ａ〜ｄは、均等に間隔が開いていて、半径方向に見て、内側のローターセクション３４から前方に傾斜していて、外側のセクション３５は、そのインレット側で、半径方向内側に向かって凹んでいる。このようにして達成されるプレート形状を介して、後方の混合ローター３３は、材料の混合調整及び事前混合過程の間に一時的に受容する入れ物として機能する。
【００２２】
軸方向の栓のような凸部形状の各々の渦を誘発する要素３７ａ〜ｄが、個々の羽３６ａ〜ｄの中央領域に配置されている。各々のローター羽３６ａ〜ｄの２個の側面エッジ３８ａ、ｂは、後方に向かって面取りされている。材料の４個の通路開口３９ａ〜ｄが、後方の混合ローターの周辺方向の近接するローター羽３６ａ〜ｄの各々に同じ大きさの間隔で設けられている。
【００２３】
このように成形される後方の混合ローター３３の外側の外形は、羽３６ａ〜ｄの傾斜と長さが、遷移セクション１６の内壁１６ｂの長さにほぼ一致して、遷移セクション１６の内壁１６ｂに適合する。更に、遷移セクション１６の後ろに配置される短い円筒形のセクション１８は、その半径方向の断面が、内側のローターセクション３４にほぼ一致する。このように、メインチャンバー２２によるプリチャンバー１７の封止が達成され、材料の通路は、通路開口３９ａ〜ｄ及びそれらの後ろに配置される個々の通路２３ａ〜ｄを通してのみ生じる。これに関連して、通路開口３９ａ〜ｄの幅及び、個々の通路２３ａ〜ｄの幅は、通路開口３９ａ〜ｄの方がわずかに大きいのが好ましいが、ほぼ同じ程度の大きさである。遷移セクション１６の内壁１６ｂと後方の混合ローター３３間の最小の空間が、軸３１回転中のこれらの要素の強い摩擦及び、混合ローターの壁の動きによって生じる内壁に沿う構成要素の擦れを回避する。
【００２４】
プリチャンバー１７内のローター３０は、軸方向で後方の混合ローター３３の前方に配置されている前方の混合ローター４０を有している。前方の混合ローター４０は、４個のほぼバー状の混合羽４１ａ〜ｄを有している。混合羽４１ａ〜ｄは、半径方向に見て、ローター軸３１から、その後方に配置される後方の混合ローター３３の外周まで延びている。このように、混合羽４１ａ〜ｄは、壁に沿って擦ることなしに、カバー４の内壁７の内側で終了する。これに関して、混合羽４０ａ〜ｄは各々、通路開口３９ａ〜ｄの前方に配置されていて、混合羽４０ａ〜ｄの軸方向の表面の凸部は、各々、通路開口３９ａ〜ｄの一つに突出する。混合羽４０ａ〜ｄの幅は、通路開口３９ａ〜ｄの幅より小さく、通路開口３９ａ〜ｄは、図３の正面図で特に明らかなように、全体を覆われていない。混合羽４０ａ〜ｄの軸方向の断面領域は、台形形状である。各々の羽４１ａ〜ｄの軸方向に延びる両側面は、混合羽の回転方向Ａへ傾斜するように、表面が傾斜されている。これに関連して、後方の側面は、傾斜がより緩やかで、より大きな面積を有する。
【００２５】
メインチャンバー２２内でローター３０は、羽を有する混合ローター４２ａ〜ｄ、４３を更に５個有する。短い円筒形のセクション１８の端部には、混合ローター３３が配置されていて、短い円筒形のセクション１８と長い円筒形のセクション１９との間のステップ状に傾斜する側面と後方の面に、壁に沿って擦ることなしに、隣接している。これに関連して、混合ローター４３は、４個の羽４４ａ〜ｄを有し、それらは、軸方向に見て、ほぼ四角形状である。４個の羽４４ａ〜ｄは、各々、プリチャンバー１７内の後方の混合ローター３３が通路開口３９ａ〜ｄを有する領域の周辺に配置されるのが好ましい。羽４４ａ〜ｄは半径方向に突出しているが、後方の混合ローター３３の内側のローターセクション３４の外周を越えない。羽４４ａ〜ｄはローター軸３１周りのリング状の凸部を介して、それらの開始セクションで互いに接続されている。
【００２６】
続く長い円筒形のセクション１９の軸方向には、各々４個の羽を有する更なる４個の混合ローター４２ａ〜ｄが設けられている。混合ローター４２ａ〜ｄの全ての羽は同一形状であり、半径方向で、回転方向Ｒの前方側で面取りされる、実質的に尖った形状を有する。軸方向では、それらは、羽４４ａ〜ｄよりもより長く作られている。混合ローター４２ａ〜ｄの羽は、壁に沿って擦ることなしに、長い円筒形のセクション１９の内壁に隣接している。これに関連して、混合ローター４２ａ〜ｄの羽は、一つの混合ローター４３の羽４４ａ〜ｄの後ろにそれぞれ延びるように配置され、次の混合ローター４２ａ〜ｄの羽に対して、周辺で一直線になるように配置されている。ローター軸３１の４個の軸方向に延びる細長い凸部が、後方の混合ローター３３の後方側から、各々の羽４４ａ〜ｄを通り、混合ローター４２ａ〜ｄの最も前方の各々の羽まで延びる。
【００２７】
混合過程の間、体積比のより小さい材料は小さいインレット開口１２を介して、体積比のより大きい材料はより大きいインレット開口１３を介して、プリチャンバー１７の中に押圧される。前方の混合ローター４０の通路を通過中、材料が、後方の混合ローター３３のプレート状の表面に接触するとすぐに、特に体積比のより小さい材料中に最初の渦が生じる。
【００２８】
個々の通路２３ａ〜ｄの幅は限定され、更に一時的にのみ開かれ、つまり回転する後方の混合ローター３３の通路開口３９ａ〜ｄと軸方向で重なる間に開かれるため、プリチャンバー１７からメインチャンバー２２への材料の放出が遅らされる。個々の通路２３ａ〜ｄ及びまた通路開口３９ａ〜ｄの数と大きさを適切に選択することで、後方の混合ローター３３のプレート状の表面での材料の滞留時間は、広い範囲でほとんど任意に設定可能である。このように、例えば、材料がメインチャンバーに入る前の混合過程の開始時に、プリチャンバーがまずほとんど完全に、供給される材料で満たされるという状況が達成可能である。
【００２９】
後方の混合ローター３３の大きな領域設計のおかげで、この間に、各々の混合材料の濃度が正確に調節され、同時に、このように混合の全体の均一化を達成するため、事前混合が実行される。後半は、特に羽ブレード３６ａ〜ｄ上の要素３７ａ〜ｄによって改善される。要素３７ａ〜ｄは、後方の混合ローター３３の表面に沿う動作中に材料または、事前混合の材料に渦を生じさせる。
【００３０】
同時に、混合羽４１ａ〜ｄの面取りされた軸方向の側面エッジによる、前方の混合ローター４０のせん断作用が事前混合に役立つ。その軸方向の凸部面が、いずれの場合にも後方の混合ローター３３の通路開口３９ａ〜ｄに突出しているので、供給される材料が外側のローターセクション３５または、内側のローターセクション３４の各々に接触することなしに、通路開口３９ａ〜ｄに直接入ることが可能な状況が妨げられる。混合羽４１ａ〜ｄのより大きな領域の後方側のエッジが、通路開口３９ａ〜ｄの方向からの事前混合される材料の逸脱及び、個々の通路２３ａ〜ｄへの供給に役立つ。
【００３１】
このように、混合材料の高い全体の均一性がプリチャンバー１７で既に達成される。このように、メインチャンバー２２のローター４２ａ〜ｄ、４３の数は、少なく保つことができるが、それでもなお、アウトレット開口２０を通って現れる混合材料の高い全体の均一性が得られる。このことは、ミキサー１のとりわけミキサー１の軸方向の全長に対するコスト及びスペース削減の設計をもたらす。
【００３２】
当業者は、好ましい実施形態の記載から、請求項で規定される発明の保護範囲から逸脱することなしに、多くの変更が可能である。
【００３３】
従って、個々の通路２３ａ〜ｄの数は、プリチャンバー１７内での望ましい混合の滞留時間を得るために、通路開口３９ａ〜ｄの数に一致する必要は必ずしもない。更に、遷移セクション１６は、ハウジング２に不可欠な構成要素として理解される必要はない。例えば、遷移セクション１６は、ハウジング２の内部空間の末端に向かって先細になっている要素でもよい。
【００３４】
更に、個々の通路２３ａ〜ｄおよび／または通路開口３９ａ〜ｄはその幅が変わること、特に、このように、プリチャンバー１７からメインチャンバー２２への体積流量を所望の体積流量に調整するために、遷移セクション１６に沿って大きくなる又は小さくなる幅を有することが考えられる。それらの深さも同様に変えることができる。
【００３５】
更に、個々の通路２３ａ〜ｄは、その範囲で、中心に対して半径方向に向かっていて、後方に向かって傾斜していることに加えて、遷移セクション１６に沿って、周辺に向かって傾斜することが可能である。そのため、プリチャンバー１７からメインチャンバー２２への材料の体積流は、中心に向かう材料に加えて、周辺に向かう材料も有している。
【００３６】
更に、体積比のより小さい一以上の材料が、体積比のより大きい材料と混合可能である。この場合には、更なるインレットがカバー４の前方壁９に必要である。更に、ダイナミックミキサー１の設計は、材料が同じ混合比を有する場合には、同じ大きさのケースインレット開口１２、１３が設けられるという、利点をも有する。
【００３７】
ミキサーハウジング２の構造上の長さは、混合される材料の性質、数、及び設けられる混合段階の数によって変わる。例えば、歯科印象の成形材料を製造するミキサーでは、全長３ｃｍ〜１０ｃｍが考えられる。
【符号の説明】
【００３８】
１  ダイナミックミキサー
２  ハウジング
３  ハウジングボディー
４  カバー
５  封止リップ
６  カバーの外壁
７  カバーの内壁
８ａ  カットアウト
８ｂ  カットアウト
９  カバーの前方壁
１０  ローター開口
１１  円筒形のマウント
１２  小さいインレット開口
１３  大きいインレット開口
１４  小さいインレット開口のマウント
１５  大きいインレット開口のマウント
１６  遷移セクション
１６ａ  遷移セクションの内側のエッジ
１６ｂ  遷移セクションの内壁
１６ｃ  遷移セクションの外側のエッジ
１７  プリチャンバー
１８  短い円筒形のセクション
１９  長い円筒形のセクション
２０  アウトレット開口
２１  アウトレット側の先細部
２２  メインチャンバー
２３ａ  通路
２３ｂ  通路
２３ｃ  通路
２３ｄ  通路
２４ａ  凸部
２４ｂ  凸部
２４ｃ  凸部
２４ｄ  凸部
３０  ローター
３１  ローター軸
３２  ローターの前方の自由端
３３  後方の混合ローター
３４  内側のローターセクション
３５  外側のローターセクション
３６ａ  羽
３６ｂ  羽
３６ｃ  羽
３６ｄ  羽
３７ａ  渦誘発要素
３７ｂ  渦誘発要素
３７ｃ  渦誘発要素
３７ｄ  渦誘発要素
３８ａ  羽の側面エッジ
３８ｂ  羽の側面エッジ
３９ａ  通路開口
３９ｂ  通路開口
３９ｃ  通路開口
３９ｄ  通路開口
４０  前方の混合ローター
４１ａ  羽
４１ｂ  羽
４１ｃ  羽
４１ｄ  羽
４２ａ  混合ローター
４２ｂ  混合ローター
４２ｃ  混合ローター
４２ｄ  混合ローター
４３  混合ローター
４４ａ  羽
４４ｂ  羽
４４ｃ  羽
４４ｄ  羽
Ｒ  ローターの回転方向
【図１】
0005389032.tif 000002
【図２】
0005389032.tif 000003
【図３】
0005389032.tif 000004
【図４】
0005389032.tif 000005
【図５】
0005389032.tif 000006
【図６】
0005389032.tif 000007
【図７】
0005389032.tif 000008